(57)【特許請求の範囲】
【請求項１】
針を刺し込み可能な目地切材本体を少なくとも有する目地切材と、前記目地切材本体に刺し込み可能な複数の止着針を設けた止着具とを有する目地切材の固定装置であって、
前記目地切材本体を躯体の断熱層の表面に台座枠を介して配設し、
前記止着具の止着針の少なくとも一つを目地切材本体に、他の止着針の少なくとも一つを断熱層に、更に他の止着針の少なくとも一つを台座枠を挿通させて断熱層に、それぞれ打ち込んで目地切材を断熱層の表面に固定可能に支持させるようにしたことを特徴とする目地切材の固定装置。
【請求項２】
針を刺し込み可能な目地切材本体を少なくとも有する目地切材を躯体の断熱層の表面に台座枠を介して配設し、前記目地切材本体に刺込み可能な複数の止着針の少なくとも一つを目地切材本体に、他の止着針の少なくとも一つを断熱層に、更に他の止着針の少なくとも一つを台座枠を挿通させて断熱層に、それぞれ打ち込んで目地切材を断熱層の表面に固定し、目地切材で囲まれる断熱層の表面に、防水層の保護コンクリート層を施工するようにしたことを特徴とする目地切材の固定装置を使用したコンクリート面の施工方法。
【請求項３】
針を刺し込み可能な目地切材本体を少なくとも有する目地切材が躯体の断熱層の表面に台座枠を介して配設され、前記目地切材本体に刺し込み可能な複数の止着針の少なくとも一つを目地切材本体に、他の止着針の少なくとも一つを断熱層に、更に他の止着針の少なくとも一つを台座枠を挿通させて断熱層に、それぞれ打ち込んで目地切材が断熱層の表面に固定され、目地切材で囲まれる断熱層の表面に、防水層の保護コンクリート層が施工されていることを特徴とするコンクリート施工面。
【発明の詳細な説明】
【０００１】
【発明の属する技術分野】
本発明は、駐車場、建築物の屋上面等の防水層を保護するためのコンクリートが伸縮によって亀裂が発生するのを防止するようにした目地切材の固定装置、前記目地切材の固定装置を使用したコンクリート面の施工方法及びコンクリート施工面に関するものである。
【０００２】
【従来の技術】
駐車場や建築物の屋上を構成するため、躯体の表面に目地切材を格子状に配設し、目地切材を仮固定して躯体の表面にコンクリートを打設するようにした発明は、例えば特開平９−７２０４９号公報に記載されている。
前記公報に記載の従来技術は、躯体の表面に配設した目地切材の左右に脚材を設けて固定ピンを断熱層に打ち込むことにより仮固定し、仮固定された目地切材で囲まれる断熱層の表面にコンクリートを打設する構成である。
【０００３】
【発明が解決しようとする課題】
しかし、前記した従来技術では、断熱層が比較的軟質であるから目地切材を安定に仮固定することができなくて、コンクリートの打設時に衝撃や流動押圧により傾いたり倒れることがある。そして、目地切材を仮固定する場合に、多数本の固定ピンを打ち込む作業を必要とするので著しく無駄な労力と時間とを要することになる。
【０００４】
また、目地切材を躯体の表面に仮固定する場合、固定ピンを使用しないで左右に固定モルタルを瘤状に付着させる方法も知られている。しかし、この方法であっても、目地切材に沿わせて左右に捨てコンクリートをあてがう作業が必要であるし、固定モルタルが硬化してからコンクリートを打設すると、一体化しないで強度が低いコンクリート面を施工することになる。また、固定モルタルを現場で施工するには著しく手間を要する。
したがって、本発明は、きわめて簡単で、しかも確実に目地切材を仮固定することができ、またコンクリート面として施工した場合には著しく強度がある目地切材の固定装置、及びその固定装置を使用した施工方法、コンクリート施工面を提供することを目的とする。
【０００５】
【課題を解決するための手段】
前記目的を達成するため、本発明の請求項１に記載した発明は、針を刺し込み可能な目地切材本体を少なくとも有する目地切材と、前記目地切材本体に刺し込み可能な複数の止着針を設けた止着具とを有する目地切材の固定装置であって、前記目地切材本体を躯体の断熱層の表面に台座枠を介して配設し、前記止着具の止着針の少なくとも一つを目地切材本体に、他の止着針の少なくとも一つを断熱層に、更に他の止着針の少なくとも一つを台座枠を挿通させて断熱層に、それぞれ打ち込んで目地切材を断熱層の表面に固定可能に支持させるようにしたことを特徴とする目地切材の固定装置に関するものである。
【０００６】
本発明の請求項２に記載した発明は、針を刺し込み可能な目地切材本体を少なくとも有する目地切材を躯体の断熱層の表面に台座枠を介して配設し、前記目地切材本体に刺込み可能な複数の止着針の少なくとも一つを目地切材本体に、他の止着針の少なくとも一つを断熱層に、更に他の止着針の少なくとも一つを台座枠を挿通させて断熱層に、それぞれ打ち込んで目地切材を断熱層の表面に固定し、目地切材で囲まれる断熱層の表面に、防水層の保護コンクリート層を施工するようにしたことを特徴とする目地切材の固定装置を使用したコンクリート面の施工方法に関するものである。
【０００７】
また本発明の請求項３に記載された発明は、針を刺し込み可能な目地切材本体を少なくとも有する目地切材が躯体の断熱層の表面に台座枠を介して配設され、前記目地切材本体に刺し込み可能な複数の止着針の少なくとも一つを目地切材本体に、他の止着針の少なくとも一つを断熱層に、更に他の止着針の少なくとも一つを台座枠を挿通させて断熱層に、それぞれ打ち込んで目地切材が断熱層の表面に固定され、目地切材で囲まれる断熱層の表面に、防水層の保護コンクリート層が施工されていることを特徴とするコンクリート施工面に関するものである。
【０００８】
【発明の実施の形態】
以下に本発明を図面に示す実施の態様に基づいて説明する。
図１は本発明の第１の実施例を示す分解斜視図、図２は図１の施工状態の概略正面図、図３は本発明の第２の実施例を示す正面図、図４は本発明の第３の実施例を示す正面図、図５は本発明の第４の実施例を示す正面図、図６は本発明の第５の実施例を示す概略斜視図、図７は本発明の第６の実施例を示す正面図、図８は本発明の第６の実施例に使用する止着具の斜視図である。
【０００９】
図１，２に示す本発明の第１の実施例について以下に説明する。
駐車場や建築物の屋上を構成するコンクリート施工面ａの一例としては、コンクリートを打設して養生硬化させることにより構成した躯体ｂの表面に防水層ｃを設け、前記防水層ｃの表面に断熱層ｄを設けて、その表面に防水層の保護用コンクリート層ｅを打設してなるもので、この例の場合には躯体ｂの表面に断熱層ｄを設けてあるので、外断熱方式である。
そして、一般的には、防水層ｃとしてはアスファルトシート、ゴムシートで、また断熱層ｄとしては発泡ウレタン樹脂、発泡スチレン樹脂等の発泡樹脂やゴム材を使用することができる。本発明においても、躯体ｂの表面に釘を突き刺すことができる断熱層ｄを設けた外断熱方式の構成を使用するものである。
【００１０】
そして、本発明における固定装置１は、目地切材２と、前記目地切材２を仮固定する止着具３とからなるもので、図１，２に示す第１の実施例によれば、目地切材２は縦長で長尺な目地切材本体２１の下端に、前記目地切材本体２１を安定に配設するために台座枠２２を設け、上端に保護用のキャップ材２３を被着してなる構成である。
【００１１】
前記目地切材本体２１及び台座枠２２は、前記断熱層ｄと同様に発泡ウレタン樹脂、発泡スチレン樹脂等の発泡樹脂により成形して、針が突き刺さる材質で構成する。
【００１２】
そして、前記止着具３は、強度がある太い金属線からなる止着具本体３１に複数本の止着針３２を突設して設けた構成で、図１，２の第１の実施例によれば、止着具本体３１の両端に第１の止着針３２を、途中に前記第１の止着針３２より長い第２の止着針３３を設けてある。
【００１３】
したがって、前記断熱層ｄの表面に、キャップ材２３を被着した目地切材本体２１を、台座枠２２を介して格子状に配設して目地切材２を構成し、前記目地切材本体２１，台座枠２２及び前記断熱層ｄに側面からハンマーなどで止着具３を打ち込み、一端の第１の止着針３２を目地切材本体２１に、他端の第１の止着針３２を断熱層ｄに、途中の第２の止着針３３を台座枠２２を挿通させて断熱層ｄにまで打ち込んで刺し込むと、断熱層ｄ、台座枠２２及び目地切材本体２１が止着具３により強固に一体化する。
【００１４】
そして、前記止着具３を、目地切材２の左右側面において適宜の間隔で打ち込むことにより、目地切材２は、断熱層ｄの表面において直立状となって著しく強固に固定されることになる。
したがって、目地切材２を前記のように断熱層ｄの表面に固定したら、目地切材２で囲まれる断熱層ｄの表面に前記保護コンクリート層ｅを打設して養生硬化させることにより、コンクリート施工面ａを施工することができるし、保護コンクリート層ｅの打設時に目地切材２が傾いたり倒れ、若しくは切断したり破損することがなく、作業性が著しく良好である。
【００１５】
なお、前記第１の実施例において、台座枠２２は目地切材本体２１と同様に長尺材であってもよいが、短尺材で適宜の間隔で目地切材本体２１の下端に設けるようにしてもよい。この場合、止着具３は、台座枠２２を設けてある位置に打ち込むことになる。
【００１６】
図３に示す本発明の第２の実施例は、目地切材２として縦長で長尺であって、釘などが突き刺さる材質からなる目地切材本体２１と、上端のキャップ材２３とからなるもので、また止着具３としては止着具本体３１の両端に第１の止着針３２を、一端の第１の止着針３２に近接状にして前記第１の止着針３２より長い第２の止着針３３を設けた構成である。
【００１７】
上記した第２の実施例によれば、断熱層ｄの表面に配設した目地切材２の左右側面から適宜の間隔で止着具３をハンマーなどで打ち込むことにより、一端に設けた第１の止着針３２が目地切材本体２１に突き刺さり、また他端の第１の止着針３２と他の第２の止着針３３とが断熱層ｄに突き刺さることになる。したがって、２本の止着針が断熱層に刺さるため、目地切材２に台座枠２２を設けなくても、目地切材２を強固に固定することができる。
【００１８】
図４に示す本発明の第３の実施例は、目地切材本体２１の下端に、横向きの底部２１１を一体に設けて縦断面を逆Ｔ字状にした構成で、また止着具３は、止着具本体３１の両端の各第１の止着針３２の近傍に、それぞれ第１の止着針３２より長い第２の止着針３３を設けた構成である。
【００１９】
この第３の実施例によれば、断熱層ｄの表面に配設した目地切材２の左右側面から適宜の間隔で止着具３をハンマーなどで打ち込むことにより、一端に設けた第１の止着針３２と第２の止着針３３とが目地切材本体２１に突き刺さり、また他端の第２の止着針３３が底部２１１から断熱層ｄに刺さり、第１の止着針３２が断熱層ｄに直接突き刺さることになる。したがって、第２の止着針３３が底部２１１に刺さって固定し、しかも２本の止着針が断熱層に刺さるため、目地切材２に台座枠２２を設けなくても、目地切材２を強固に固定することができる。
【００２０】
図５に示す本発明の第４の実施例においては、目地切材２は図３の第２の実施例と同一の構成で、止着具３は図４の第３の実施例と同一の構成である。そして、目地切材２の左右には、針が突き刺さる発泡樹脂からなる縦長な支持材４を添設してある。
【００２１】
したがって、断熱層ｄの表面に目地切材２及び左右に支持材４を配設し、左右の側面から適宜の間隔で止着具３をハンマーなどで打ち込むことにより、一端に設けた第１の止着針３２と第２の止着針３３とが目地切材本体２１に深く突き刺さり、また他端の第２の止着針３３が支持材４に、第１の止着針３２が断熱層ｄに深く刺さるので、左右の支持材４が目地切材２を強固に支えながら固定されることになる。
【００２２】
図６に示す本発明の第５の実施例は、目地切材２は前記図５の第４の実施例と同一の構成であるが、左右に直角二等辺三角形状の支持材４を添設した構成である。また、止着具３の止着具本体３１は、前記各実施例のように金属線材ではなく金属の長方形状の平板材を使用し、平板状止着具本体３１の各端部に短尺な第１の止着針３２を、途中に３本の長尺な第２の止着針３３を並列状に設けた構成で、特に中央の第２の止着針３３は他の第２の止着針より長くなっている。
【００２３】
前記構成の目地切材２、止着具３及び支持材５を使用してコンクリート面を施工するには、左右の支持材４間に目地切材本体２１を位置させて断熱層ｄの表面に配置し、目地切材本体２１を設計寸法だけ支持材４から浮き上がらせ、その状態で左右の側面から適宜の間隔で止着具３をハンマーなどで打ち込む。したがって、一端に設けた第１の止着針３２が目地切材本体２１に深く突き刺さり、上の２本の第２の止着針３３が前記支持材４から目地切材本体２１に深く突き刺さり、また他の第２の止着針３３が支持材４から断熱層ｄに、下端の第１の止着針３２が断熱層ｄに深く刺さることになる。このため、目地切材本体２１は断熱層ｄから浮き上がった状態で強固に固定されるので、キャップ材２３の高さを自由に設定することができるので、コンクリート施工面の高さに対する高さ調節機能を有するばかりでなく、コンクリート施工面を緩く傾斜させる場合であっても簡単に対応させることができる。
【００２４】
図７、８に示す本発明の第６の実施例は、目地切材２は長尺な目地切材本体２１の下端に台座枠２２を設け、上端に保護用のキャップ材２３を被着した図１、２の第１の実施例と同一の構成である。しかし、止着具３は、平板状の止着具本体３１の片面に、上下の端部にそれぞれ２本の第１の止着針３２を突設するとともに、途中に前記第１の止着針３２より長い第２の止着針３３を突設した構成である。
【００２５】
したがって、断熱層ｄの表面に目地切材２を配設し、左右の側面から適宜の間隔で止着具３をハンマーなどで打ち込むことにより、一端の左右の第１の止着針３２が目地切材本体２１に深く突き刺さり、第２の止着針３３が台座枠２２に刺さり、下端の左右の第１の止着針３２が断熱層ｄに深く刺さるので、目地切材２を著しく強固に固定することができる。
【００２６】
前記第２から第６の実施例において、図面中の説明していない符号は第１の実施例の同一符号と同一の構成であるから、詳細な説明を省略する。
【００２７】
なお、本発明においては、各実施例のようにして目地切材を固定したら、従来と同様に防止層の表面に断熱層ｄを設け、前記断熱層ｄの表面にモルタル、コンクリートを打設して防水層の保護用コンクリート層ｅを設け、駐車場、建築物の屋上等を構築するのである。
【００２８】
以上本発明を図面に示す実施例に基づいて説明したが、本発明は前記実施例に限定されるものではなく、特許請求の範囲に記載の構成を変更しない限り、どのようにでも実施することができる。例えば、目地切材は針状部材が突き刺さる部分が有ればどのような構成でもよい。また、止着具も、複数本の止着針が設けてあって、目地切材と躯体の断熱層とに突き刺さり、目地切材を強固に固定できるのであればどのような構成でもよいし、断熱層や目地切材本体に突き刺さるのであれば、金属、樹脂、木材など適宜の材質を使用することができる。
【００２９】
【発明の効果】
以上要するに、本発明によれば、針を刺し込み可能な目地切材本体を少なくとも有する目地切材と、前記目地切材本体に刺し込み可能な複数の止着針を設けた止着具とを有する目地切材の固定装置であって、前記目地切材本体を躯体の断熱層の表面に台座枠を介して配設し、前記止着具の止着針の少なくとも一つを目地切材本体に、他の止着針の少なくとも一つを断熱層に、更に他の止着針の少なくとも一つを台座枠を挿通させて断熱層に、それぞれ打ち込んで目地切材を断熱層の表面に固定可能に支持させるようにした目地切材の固定装置、及び前記固定装置を使用したコンクリート面の施工方法と施工面に関するものである。
【００３０】
したがって、従来のように目地切材を固定するための特別な装置が必要ではなく、簡単な構成の止着具を、断熱層の上面に配設した目地切材の左右の側面から適宜の間隔で打ち込むだけで、きわめて簡単に、確実に目地切材を固定することができる。そして、作業が簡単で熟練の必要がないので、コンクリート面の施工作業が簡易化されて実用的価値の高いものとなる。
【図面の簡単な説明】
【図１】本発明の第１の実施例を示す分解斜視図である。
【図２】図１の施工状態の概略正面図である。
【図３】本発明の第２の実施例を示す正面図である。
【図４】本発明の第３の実施例を示す正面図である。
【図５】本発明の第４の実施例を示す正面図である。
【図６】本発明の第５の実施例を示す概略斜視図である。
【図７】本発明の第６の実施例を示す正面図である。
【図８】本発明の第６の実施例に使用する止着具の斜視図である。
【符号の説明】
１  固定装置
２  目地切材
３  止着具
４  支持材
２１  目地切材本体
２２  台座枠
２３  キャップ材
３１  止着具本体
３２  第１の止着針
３３  第２の止着針
【図１】
0003725792.tif 000002
【図２】
0003725792.tif 000003
【図３】
0003725792.tif 000004
【図４】
0003725792.tif 000005
【図５】
0003725792.tif 000006
【図６】
0003725792.tif 000007
【図７】
0003725792.tif 000008
【図８】
0003725792.tif 000009